(57)【要約】【課題】  誤配線を検出することができる放電灯点灯装置及びこれを備えた照明器具を提供する。【解決手段】  点灯用のフィラメントを各放電灯の両端に有する放電灯Ｌａ１，Ｌａ２，Ｌａ３を、フィラメント同士を接続することにより直列に接続した直列回路として構成すると共に、前記直列回路に電力を供給することにより放電灯Ｌａ１，Ｌａ２，Ｌａ３を発光させるインバータ回路３と、直列に接続されているフィラメントＦ１ｂ，Ｆ２ａ，Ｆ２ｂ，Ｆ３ａのうち、フィラメントＦ３ａの電圧を検出する誤接続検出回路８と、誤接続検出回路８から出力された誤接続検出信号Ｖk1の電圧に基づいて、放電灯Ｌａ１，Ｌａ２，Ｌａ３の接続状態に応じて電力の供給量を調整するべくインバータ回路３の動作を制御するＩＣ回路１０とを備えた。【選択図】      図１
2005183114.tif 000002
【特許請求の範囲】
【請求項１】
点灯用のフィラメントを各放電灯の両端に有する三灯以上の複数の放電灯を、フィラメント同士を接続することにより直列に接続した直列回路として構成すると共に、前記直列回路に電力を供給することにより前記複数の放電灯を発光させる電力供給部を備えた放電灯点灯装置において、
前記直列に接続されている複数のフィラメントのうち、少なくとも一つの電圧を検出するフィラメント電圧検出部と、
前記フィラメント電圧検出部により検出された電圧に基づいて、前記直列回路の接続状態に応じて前記電力の供給量を調整するべく前記電力供給部の動作を制御する制御部とを備えることを特徴とする放電灯点灯装置。
【請求項２】
前記直列回路は、前記直列に接続されている複数のフィラメントに電流を流すことにより予熱する予熱電流回路をさらに備えることを特徴とする請求項１記載の放電灯点灯装置。
【請求項３】
前記フィラメント電圧検出部は、前記直列に接続されている複数のフィラメントについて各電圧をそれぞれ検出するものであり、
前記制御部は、前記フィラメント電圧検出部により検出された前記各電圧を、互いに比較した結果に基づいて、前記直列回路の接続状態における異常の有無を検出すると共に、前記電力の供給量を調整するべく前記電力供給部の動作を制御することを特徴とする請求項１又は２記載の放電灯点灯装置。
【請求項４】
前記フィラメント電圧検出部は、前記直列に接続されている複数のフィラメントについて各電圧をそれぞれ検出するものであり、
前記制御部は、前記フィラメント電圧検出部により検出された前記各電圧に基づいて、前記直列回路に接続されている放電灯の数を判定すると共に、当該判定した放電灯の数に基づいて、前記電力の供給量を調整するべく前記電力供給部の動作を制御するものであることを特徴とする請求項１又は２記載の放電灯点灯装置。
【請求項５】
前記電力供給部は、一次側と二次側とを絶縁するための出力トランスを備えると共に、前記出力トランスの二次側巻線に生じた電圧を前記直列回路に印加することにより、前記電力を供給するものであり、
前記予熱電流回路は、前記二次側巻線とは別に、前記出力トランスの二次側に設けられた予熱用巻線によって、前記直列に接続されている複数のフィラメントに電流を流すものであり、
前記予熱用巻線に生じた、前記二次側巻線に生じた電圧と相関する予熱用巻線電圧を検出する巻線電圧検出部をさらに備え、
前記制御部は、前記巻線電圧検出部により検出された予熱用巻線電圧に基づいて、前記電力の供給量を調整するべく前記電力供給部の動作を制御するものであることを特徴とする請求項１又は２記載の放電灯点灯装置。
【請求項６】
放電灯を点灯させる放電灯点灯装置と、前記放電灯点灯装置に電力を供給する電源部とを備える照明器具において、前記放電灯点灯装置は、請求項１〜５のいずれか１項に記載の放電灯点灯装置であることを特徴とする照明器具。
【発明の詳細な説明】
【技術分野】
【０００１】
本発明は、三灯以上の放電灯を直列点灯させる放電灯点灯装置及びこれを備えた照明器具に関する。
【背景技術】
【０００２】
三灯以上の放電灯を、直列に接続して点灯させる放電灯点灯装置が知られている（例えば、特許文献１参照。）。図５は、背景技術に係る放電灯点灯装置の構成を示す回路図である。図５に示す放電灯点灯装置１０１は、図略の電源回路やインバータ回路等により生成された高周波電圧を、リーケージトランスからなる出力トランス１０２を介して三灯直列に接続された放電灯Ｌａ１，Ｌａ２，Ｌａ３に印加することにより、放電灯Ｌａ１，Ｌａ２，Ｌａ３を発光させるようにされている。また、放電灯Ｌａ１と、放電灯Ｌａ２と、放電灯Ｌａ３とは、それぞれ両端に点灯用のフィラメントＦ１ａ，Ｆ１ｂと、フィラメントＦ２ａ，Ｆ２ｂと、フィラメントＦ３ａ，Ｆ３ｂとを有している。
【０００３】
また、出力トランス１０２の二次側巻線Ｎ２の一端は、放電灯Ｌａ１のフィラメントＦ１ａに接続される一方、二次側巻線Ｎ２の他端は、コンデンサ１０３を介して放電灯Ｌａ３のフィラメントＦ３ｂに接続されている。そして、出力トランス１０２の二次側巻線Ｎ２から出力された電圧は、放電灯Ｌａ１のフィラメントＦ１ａ、コンデンサ１０４、放電灯Ｌａ３のフィラメントＦ３ｂ、コンデンサ１０３により構成される閉ループに印加される。これにより二次側巻線Ｎ２とコンデンサ１０４とで共振が発生し、この共振によりコンデンサ１０４に所定の高周波の電圧が印加され、ひいては放電灯Ｌａ１，Ｌａ２，Ｌａ３にも電圧が印加される。このとき出力トランス１０２からフィラメントＦ１ａ、コンデンサ１０４、フィラメントＦ３ｂさらにコンデンサ１０３に戻る閉ループに電流が流れ、放電灯Ｌａ１，Ｌａ２，Ｌａ３からなる直列回路の両端に位置するフィラメントＦ１ａ，Ｆ３ｂが予熱される。
【０００４】
また、出力トランス１０２の二次側には、フィラメントの予熱用巻線Ｎ３，Ｎ４が設けられ、予熱用巻線Ｎ３の一端は放電灯Ｌａ１におけるフィラメントＦ１ｂの一端に、他端はコンデンサ１０５を介して放電灯Ｌａ２におけるフィラメントＦ２ａの一端に接続され、フィラメントＦ１ｂ，Ｆ２ａの他端同士が相互に接続されている。また、予熱用巻線Ｎ４の一端はコンデンサ１０６を介して放電灯Ｌａ２におけるフィラメントＦ２ｂの一端に、他端は放電灯Ｌａ３におけるフィラメントＦ３ａの一端に接続され、フィラメントＦ２ｂ，Ｆ３ａの他端同士が相互に接続されている。
【０００５】
そして、予熱用巻線Ｎ３からフィラメントＦ１ｂ、フィラメントＦ２ａ、及びコンデンサ１０５を介して予熱用巻線Ｎ３に戻る電流ループに予熱用電流が流れ、フィラメントＦ１ｂとフィラメントＦ２ａとが予熱される。また、予熱用巻線Ｎ４からコンデンサ１０６、フィラメントＦ２ｂ、及びフィラメントＦ３ａを介して予熱用巻線Ｎ４に戻る電流ループに予熱用電流が流れ、フィラメントＦ２ｂとフィラメントＦ３ａとが予熱される。これにより、フィラメントＦ１ａ，Ｆ１ｂ，Ｆ２ａ，Ｆ２ｂ，Ｆ３ａ，Ｆ３ｂが予熱され、放電灯Ｌａ１，Ｌａ２，Ｌａ３は、発光を開始しやすくなるようにされている。
【０００６】
また、放電灯Ｌａ１のフィラメントＦ１ａ，Ｆ１ｂ間には抵抗１０７、放電灯Ｌａ２のフィラメントＦ２ａ，Ｆ２ｂ間には抵抗１０８、放電灯Ｌａ３のフィラメントＦ３ａ，Ｆ３ｂ間には抵抗１０９が、それぞれ接続されている。そして、直流電圧Ｖｄｃが、抵抗１１０、フィラメントＦ１ａ、抵抗１０７、フィラメントＦ１ｂ、フィラメントＦ２ａ、抵抗１０８、フィラメントＦ２ｂ、フィラメントＦ３ａ、抵抗１０９、フィラメントＦ３ｂ、及び抵抗１１１を介して図略の放電灯外れ検出回路へ印加されるようになっている。
【０００７】
これにより、放電灯Ｌａ１，Ｌａ２，Ｌａ３のうちいずれかが外れた場合、上述の抵抗１１０、フィラメントＦ１ａ、抵抗１０７、フィラメントＦ１ｂ、フィラメントＦ２ａ、抵抗１０８、フィラメントＦ２ｂ、フィラメントＦ３ａ、抵抗１０９、フィラメントＦ３ｂ、及び抵抗１１１を介する経路が途中で遮断される結果、直流電圧Ｖｄｃが前記放電灯外れ検出回路へ印加されなくなることから、前記図略の放電灯外れ検出回路は、放電灯Ｌａ１，Ｌａ２，Ｌａ３のうちいずれかが外れたことを検出するようにされている。
【特許文献１】特開平８−３３００８２号公報
【発明の開示】
【発明が解決しようとする課題】
【０００８】
ところで、上述のような三灯以上の放電灯を直列点灯させる放電灯点灯装置においては、上述のように、フィラメントを予熱する回路配線や、放電灯外れを検出する回路を接続するための配線、あるいは、その他保護回路等の配線が複雑となるため、例えば、図６に示すように、放電灯点灯装置の製造工程での配線作業における誤配線や、ユーザーが放電灯の交換を行う際にコネクタの接続を間違える等による誤配線が生じやすいという不都合があった。
【０００９】
本発明は、このような問題に鑑みて為された発明であり、誤配線を検出することができる放電灯点灯装置及びこれを備えた照明器具を提供することを目的とする。
【課題を解決するための手段】
【００１０】
上述の目的を達成するために、本発明の第１の手段に係る放電灯点灯装置は、点灯用のフィラメントを各放電灯の両端に有する三灯以上の複数の放電灯を、フィラメント同士を接続することにより直列に接続した直列回路として構成すると共に、前記直列回路に電力を供給することにより前記複数の放電灯を発光させる電力供給部を備えた放電灯点灯装置において、前記直列に接続されている複数のフィラメントのうち、少なくとも一つの電圧を検出するフィラメント電圧検出部と、前記フィラメント電圧検出部により検出された電圧に基づいて、前記直列回路の接続状態に応じて前記電力の供給量を調整するべく前記電力供給部の動作を制御する制御部とを備えることを特徴としている。
【００１１】
また、上述の放電灯点灯装置において、前記直列回路は、前記直列に接続されている複数のフィラメントに電流を流すことにより予熱する予熱電流回路をさらに備えることを特徴としている。
【００１２】
そして、上述の放電灯点灯装置において、前記フィラメント電圧検出部は、前記直列に接続されている複数のフィラメントについて各電圧をそれぞれ検出するものであり、前記制御部は、前記フィラメント電圧検出部により検出された前記各電圧を、互いに比較した結果に基づいて、前記直列回路の接続状態における異常の有無を検出すると共に、前記電力の供給量を調整するべく前記電力供給部の動作を制御することを特徴としている。
【００１３】
さらに、上述の放電灯点灯装置において、前記フィラメント電圧検出部は、前記直列に接続されている複数のフィラメントについて各電圧をそれぞれ検出するものであり、前記制御部は、前記フィラメント電圧検出部により検出された前記各電圧に基づいて、前記直列回路に接続されている放電灯の数を判定すると共に、当該判定した放電灯の数に基づいて、前記電力の供給量を調整するべく前記電力供給部の動作を制御するものであることを特徴としている。
【００１４】
また、上述の放電灯点灯装置において、前記電力供給部は、一次側と二次側とを絶縁するための出力トランスを備えると共に、前記出力トランスの二次側巻線に生じた電圧を前記直列回路に印加することにより、前記電力を供給するものであり、前記予熱電流回路は、前記二次側巻線とは別に、前記出力トランスの二次側に設けられた予熱用巻線によって、前記直列に接続されている複数のフィラメントに電流を流すものであり、前記予熱用巻線に生じた、前記二次側巻線に生じた電圧と相関する予熱用巻線電圧を検出する巻線電圧検出部をさらに備え、前記制御部は、前記巻線電圧検出部により検出された予熱用巻線電圧に基づいて、前記電力の供給量を調整するべく前記電力供給部の動作を制御するものであることを特徴としている。
【００１５】
上述の目的を達成するために、本発明の第２の手段に係る照明器具は、放電灯を点灯させる放電灯点灯装置と、前記放電灯点灯装置に電力を供給する電源部とを備える照明器具において、前記放電灯点灯装置は、請求項１〜５のいずれか１項に記載の放電灯点灯装置であることを特徴としている。
【発明の効果】
【００１６】
このような構成の放電灯点灯装置及び照明器具は、誤配線が有った場合には、直列に接続されている複数のフィラメントの電圧が正常時と異なることから、フィラメント電圧検出部により検出された電圧に基づいて誤配線を検出することができる。
【発明を実施するための最良の形態】
【００１７】
以下、本発明に係る実施形態を図面に基づいて説明する。なお、各図において同一の符号を付した構成は、同一の構成であることを示し、その説明を省略する。
【００１８】
（第１実施形態）
図１は、本発明の第１の実施形態に係る照明器具の構成の一例を示す回路図である。図１に示す照明器具は、放電灯点灯装置に電力を供給する直流電源回路１と、電圧変換回路２、インバータ回路３、出力トランス４、出力トランス４の二次側回路５、及び制御回路６からなる放電灯点灯装置と、直列に接続された放電灯Ｌａ１，Ｌａ２，Ｌａ３とを備えている。
【００１９】
直流電源回路１は、フィルター回路１ａと、整流回路１ｂとを備えている。フィルター回路１ａは、商用の交流電源ＡＣからの雑音を整流回路１ｂ以降の回路に侵入するのを防止したり、あるいは逆に、インバータ回路３からの雑音が電源ＡＣ側に漏れるのを防止するもので、コンデンサ１１と、フィルター１２とを備える。整流回路１ｂは、交流電源ＡＣからの交流電圧を脈流電圧に変換するもので、ダイオードブリッジ１３と、平滑用コンデンサ１４とを備えている。
【００２０】
電圧変換回路２は、直流電源回路１からの脈流電圧を直流電圧Ｖｄｃに変換するものであり、ここでは、昇圧チョッパ回路を用いている。この電圧変換回路２は、チョークコイル１５と、スイッチング素子１６と、ダイオード１７と、電解コンデンサ１８と、抵抗１９，２０とを備えている。
【００２１】
インバータ回路３は、電圧変換回路２からの直流電圧Ｖｄｃを高周波でかつ矩形波の電圧に変換するものであり、平滑コンデンサ１８の両端に直列に接続されたスイッチング素子２１，２２の接続点と出力トランス４の間に接続されたコンデンサ２３と、抵抗２４，２５，２６，２７とを備えている。
【００２２】
出力トランス４は、漏れインダクタンスをもつリーケージトランスであり、インバータ回路３のスイッチング素子２１の両端にコンデンサ２３を介して接続された一次側巻線Ｎ１と、この一次側巻線Ｎ１とは絶縁された二次側巻線Ｎ２と、これとは別に設けられた放電灯のフィラメントを予熱する予熱用巻線Ｎ３，Ｎ４と、一次側に設けられた制御回路への電源供給を行う制御電源用巻線Ｎ５とを備えている。
【００２３】
放電灯Ｌａ１、Ｌａ２、Ｌａ３は、両端にフィラメントを有する、例えはＦＬ２０ＷやＦＬ４０Ｗなどの直管蛍光灯である。放電灯Ｌａ１はフィラメントＦ１ａ，Ｆ１ｂを備え、放電灯Ｌａ２はフィラメントＦ２ａ，Ｆ２ｂを備え、放電灯Ｌａ３はフィラメントＦ３ａ，Ｆ３ｂを備えている。そして、フィラメントＦ１ｂとＦ２ａの一端が相互に接続され、Ｆ２ｂとＦ３ａの一端が相互に接続されることにより、放電灯Ｌａ１、Ｌａ２、Ｌａ３が、三灯直列に接続されている。また、電圧変換回路２におけるダイオード１７のカソードが、放電灯外れ検知のための抵抗５１を介してフィラメントＦ１ａの一端に接続されている。
【００２４】
二次側回路５において、出力トランス４の二次側巻線Ｎ２の一端は、コンデンサ２８を介して放電灯Ｌａ１におけるフィラメントＦ１ａの一端に接続される一方、二次側巻線Ｎ２の他端は、放電灯Ｌａ３におけるフィラメントＦ３ｂの一端に接続されている。そして、放電灯Ｌａ１，Ｌａ２，Ｌａ３の直列回路と並列に、すなわちフィラメントＦ１ａにおける出力トランス４と接続されていない一端とフィラメントＦ３ｂにおける出力トランス４と接続されていない一端との間に接続されたコンデンサ３１と、放電灯Ｌａ１，Ｌａ２の直列回路と並列に、すなわちフィラメントＦ１ａとコンデンサ３１との接続点とフィラメントＦ２ｂにおけるフィラメントＦ３ａと接続されていない一端との間に接続された主シーケンスコンデンサ３２と、放電灯Ｌａ１と並列に、すなわちフィラメントＦ１ａとコンデンサ３１との接続点とフィラメントＦ１ｂにおけるフィラメントＦ２ａと接続されていない一端との間に接続されたシーケンスコンデンサ３３とを備える。
【００２５】
また、放電灯Ｌａ１と並列に、すなわちフィラメントＦ１ａにおけるコンデンサ２８との接続点と、フィラメントＦ１ｂにおけるコンデンサ３３との接続点との間に、放電灯Ｌａ１のインピーダンスよりも十分に大きい抵抗３４が接続され、放電灯Ｌａ２と並列に、すなわちフィラメントＦ２ａにおけるフィラメントＦ１ｂと接続されていない一端と、フィラメントＦ２ｂにおけるコンデンサ３２との接続点との間に、放電灯Ｌａ２のインピーダンスよりも十分に大きい抵抗３５が接続され、放電灯Ｌａ３と並列に、すなわちフィラメントＦ３ａにおけるフィラメントＦ２ｂと接続されていない一端と、フィラメントＦ３ｂにおけるトランス４との接続点との間に、放電灯Ｌａ３のインピーダンスよりも十分に大きい抵抗３６が接続されている。
【００２６】
そして、予熱用巻線Ｎ３の一端は、コンデンサ２９を介して放電灯Ｌａ１におけるフィラメントＦ１ｂのコンデンサ３３との接続点に、他端は放電灯Ｌａ２におけるフィラメントＦ２ａのフィラメントＦ１ｂと接続されていない一端に接続され、予熱用巻線Ｎ４の一端はコンデンサ３０を介して放電灯Ｌａ２におけるフィラメントＦ２ｂのコンデンサ３２との接続点に、他端は放電灯Ｌａ３におけるフィラメントＦ３ａのフィラメントＦ２ｂと接続されていない一端に接続されている。
【００２７】
制御回路６は放電灯を外れたことを検出する放電灯外れ検出回路７と、出力トランス４から放電灯までの負荷配線の接続間違いを検出する誤接続検出回路８と、制御回路に電力を供給する制御用電源回路９と、電圧変換回路２のスイッチング素子１６とインバータ回路３のスイッチング素子２１，２２とを駆動する制御用のＩＣ回路１０と、を備えている。
【００２８】
放電灯外れ検出回路７は、抵抗３７，３８と、コンデンサ３９と、ダイオード４０と、定電圧ダイオード４１とを備えている。そして、放電灯Ｌａ３におけるフィラメントＦ３ｂとコンデンサ３１との接続点が、抵抗３７と逆方向の定電圧ダイオード４１とを介して回路グラウンドに接続されている。また、定電圧ダイオード４１のカソード、アノード間に、ダイオード４０と抵抗３８との直列回路が接続され、抵抗３８と並列にコンデンサ３９が接続されている。そして、ダイオード４０と抵抗３８の接続点が、放電灯外れ検出回路７に接続されており、ダイオード４０と抵抗３８の接続点に生じた電圧が、放電灯外れ検出信号ＶLとしてＩＣ回路１０へ出力される。
【００２９】
誤接続検出回路８は、抵抗４２ａ、ダイオード４３ａ、抵抗４４ａ，４５ａ、及びコンデンサ４６ａを備えている。そして、予熱用巻線Ｎ４とフィラメントＦ３ａとの接続点が、抵抗４２ａ、ダイオード４３ａ、抵抗４４ａ，４５ａを介して回路グラウンドに接続され、抵抗４５ａと並列にコンデンサ４６ａが接続され、抵抗４４ａ，４５ａの接続点に生じた電圧が、誤接続検出信号Ｖk1としてＩＣ回路１０へ出力される。
【００３０】
制御用電源回路９は、ダイオード４８と、抵抗４７と、コンデンサ４９と、定電圧ダイオード５０と、を備えている。また、制御電源用巻線Ｎ５の一端は回路グラウンドに接続されており、他端はダイオード４８、抵抗４７、及び逆方向の定電圧ダイオード５０とを介して回路グラウンドに接続され、定電圧ダイオード５０と並列にコンデンサ４９が接続され、抵抗４７と定電圧ダイオード５０との接続点の電圧が、制御用電源電圧としてＩＣ回路１０へ供給される。
【００３１】
次に、図１に示す照明器具の動作を説明する。交流電源電圧ＡＣが直流電源回路１によって、脈流電圧に変換され、電圧変換回路２に出力される。次に、電圧変換回路２によって、直流電源回路１からの脈流電圧が所定の値に昇圧され、直流電圧Ｖｄｃに変換される。そして、この直流電圧Ｖｄｃがインバータ回路３によって、高周波の電圧に変換され、その高周波電圧がスイッチング素子２１のドレインとソース間に発生する。この高周波の電圧は、コンデンサ２３を介して出力トランス４の一次側巻線Ｎ１に印加され、この結果、出力トランス４の二次側巻線Ｎ２に電圧が発生する。
【００３２】
出力トランス４の二次側巻線Ｎ２に発生した電圧は、コンデンサ２８、放電灯Ｌａ１のフィラメントＦ１ａ、コンデンサ３１、放電灯Ｌａ３のフィラメントＦ３ｂを介して二次側巻線Ｎ２へ戻る閉ループに印加される。これにより、出力トランス４の二次側巻線Ｎ２とコンデンサ３１とで共振が発生し、この共振によりコンデンサ３１に所定の高周波の電圧が印加され、ひいては、放電灯Ｌａ１，Ｌａ２，Ｌａ３にも電圧が印加される。
【００３３】
このとき出力トランス４の二次側巻線Ｎ２からコンデンサ２８，フィラメントＦ１ａ，コンデンサ３１、フィラメントＦ３ｂを介して二次側巻線Ｎ２へ戻る閉ループで電流が流れ、両端のフィラメントＦ１ａ，Ｆ３ｂが予熱される。また、予熱用巻線Ｎ３からコンデンサ２９、フィラメントＦ１ｂ、及びフィラメントＦ２ａを介して予熱用巻線Ｎ３に戻る電流ループに予熱用電流が流れ、フィラメントＦ１ｂとフィラメントＦ２ａとが予熱される。また、予熱用巻線Ｎ４からコンデンサ３０、フィラメントＦ２ｂ、及びフィラメントＦ３ａを介して予熱用巻線Ｎ４に戻る電流ループに予熱用電流が流れ、フィラメントＦ２ｂとフィラメントＦ３ａとが予熱される。これにより、フィラメントＦ１ａ，Ｆ１ｂ，Ｆ２ａ，Ｆ２ｂ，Ｆ３ａ，Ｆ３ｂが予熱され、放電灯Ｌａ１，Ｌａ２，Ｌａ３は、発光を開始しやすくなり、放電灯Ｌａ１，Ｌａ２，Ｌａ３が点灯する。点灯後は出力トランス４の二次側巻線Ｎ２が、所謂、バラストとして働き、所定のランプ電流が、各放電灯に流れる。
【００３４】
次に、制御電源用巻線Ｎ５から出力された電圧は、ダイオード４８により脈流に変換され、抵抗４７を介して定電圧ダイオード５０とコンデンサ４９の並列回路に付与され、定電圧ダイオード５０によってＩＣ回路１０の動作用電圧に定電圧化され、コンデンサ４９により平滑され、制御用電源としてＩＣ回路１０に供給される。
【００３５】
また、インバータ回路３からの直流電圧Ｖｄｃが、抵抗５１、フィラメントＦ１ａ、抵抗３４、フィラメントＦ１ｂ、フィラメントＦ２ａ、抵抗３５、フィラメントＦ２ｂ、フィラメントＦ３ａ、抵抗３６、及びフィラメントＦ３ｂを介して放電灯外れ検出回路７に印加される。そして、放電灯外れ検出回路７におけるダイオード４０と抵抗３８の接続点に生じた電圧がハイレベルにされ、放電灯外れ検出信号ＶLとしてＩＣ回路１０へ出力される。
【００３６】
この場合、放電灯Ｌａ１，Ｌａ２，Ｌａ３のうちいずれかが外れた場合、上述の抵抗５１、フィラメントＦ１ａ、抵抗３４、フィラメントＦ１ｂ、フィラメントＦ２ａ、抵抗３５、フィラメントＦ２ｂ、フィラメントＦ３ａ、抵抗３６、及びフィラメントＦ３ｂ、抵抗１１１を介して放電灯外れ検出回路７に達する経路が途中で遮断される結果、直流電圧Ｖｄｃが放電灯外れ検出回路７に印加されないため、ダイオード４０と抵抗３８の接続点に生じた電圧がローレベルとなり、放電灯外れ検出信号ＶLとしてＩＣ回路１０へ出力される。
【００３７】
そして、ＩＣ回路１０は、ローレベルの放電灯外れ検出信号ＶLを受け付けると、例えばスイッチング素子１６，２１，２２のオン、オフ動作を停止させることにより、放電灯Ｌａ１，Ｌａ２，Ｌａ３への電力供給を停止させる。
【００３８】
また、放電灯Ｌａ１，Ｌａ２，Ｌａ３が正常に三灯直列に点灯されている場合には、誤接続検出回路８において、フィラメントＦ３ａの電圧が、ダイオード４３ａによって整流され、抵抗４４ａ，４５ａによって分圧され、さらにコンデンサ４６ａによって平滑されて、誤接続検出信号Ｖk1としてＩＣ回路１０へ出力される。
【００３９】
今、放電灯Ｌａ１，Ｌａ２，Ｌａ３の接続状態が、例えば誤配線等によって正常ではない場合には、誤接続検出信号Ｖk1の電圧が正常時とは異なる電圧となる。そこで、ＩＣ回路１０によって、誤接続検出信号Ｖk1が予め設定された基準電圧範囲、すなわち放電灯Ｌａ１，Ｌａ２，Ｌａ３の接続状態が正常である場合における誤接続検出信号Ｖk1の電圧と比較され、誤接続検出信号Ｖk1の電圧が基準電圧範囲に入っていれば、放電灯Ｌａ１，Ｌａ２，Ｌａ３の接続状態が正常であると判断される。一方、誤接続検出信号Ｖk1の電圧が基準電圧範囲外であった場合には、ＩＣ回路１０によって、放電灯Ｌａ１，Ｌａ２，Ｌａ３の接続状態が、例えば誤配線等によって正常ではないと判断される。
【００４０】
そして、ＩＣ回路１０によって、放電灯Ｌａ１，Ｌａ２，Ｌａ３の接続状態が正常ではないと判断された場合、例えばスイッチング素子１６，２１，２２のオン、オフ動作が停止され、放電灯Ｌａ１，Ｌａ２，Ｌａ３への電力供給が停止されたり、スイッチング素子１６，２１，２２のオン、オフ周波数が変化されて放電灯Ｌａ１，Ｌａ２，Ｌａ３への電力供給が減少されたりする。
【００４１】
以上のようにして、例えば放電灯点灯装置の製造工程での配線作業における誤配線や、ユーザーが放電灯の交換を行う際にコネクタの接続を間違える等による誤配線が生じた場合、誤接続検出回路８によって、当該誤配線を検出することができる。そして、検出された誤配線等を示す接続情報として誤接続検出信号Ｖk1がＩＣ回路１０へ出力され、ＩＣ回路１０によって、接続情報である誤接続検出信号Ｖk1に応じて放電灯Ｌａ１，Ｌａ２，Ｌａ３への電力供給量が調整される。
【００４２】
なお、インバータ回路３は、スイッチング素子を２個用いたハーフブリッジ式の回路を示したが、スイッチング素子を１個にしたものでハーフブリッジ式よりは昇圧度合いの大きい１石式や、出力トランス４を形成しやすいプッシュプル式などの回路方式であっても良い。
【００４３】
また、電圧変換回路２は、昇圧チョッパ式の回路を示したが、降圧チョッパ式のものや、図２の回路図に示したような、ハーフブリッジ式のインバータ回路３と兼用された、所謂、高周波充電方式のものであっても良い。特に、高周波充電方式の回路では、昇圧チョッパ方式のものに比べ安価なものにできる。
【００４４】
また、出力トランス４の一次側巻線Ｎ１は、コンデンサ２３を介してスイッチング素子２１のドレイン・ソース間に接続されているが、コンデンサ２３を介してスイッチング素子２２のドレイン・ソース間に接続されていてもよい。
【００４５】
さらに、出力トランス４として漏れインダクタンスをもつリーケージトランスを用いる例を示したが、漏れインダクタンスを持たない、通常の出力トランスを用いて、この出力トランスの２次巻線にチョークコイルを直列に接続したものを用いても良い。
【００４６】
また、ＩＣ回路１０は、インバータ回路３のスイッチング周波数を変えることにより、放電灯への電力供給量を調整する例を示したが、電圧変換回路２の直流電圧Ｖｄｃの大きさを変更するようにしてもよい。
【００４７】
（第２実施形態）
次に、本発明の第２の実施の形態に係る照明器具について説明する。図３は、本発明の第２の実施の形態による照明器具の構成の一例を示す回路図である。図３に示す照明器具と図１に示す照明器具とでは、下記の点で異なる。すなわち、図３に示す照明器具における放電灯点灯装置では、誤接続検出回路８ａは、抵抗４２ｂ、ダイオード４３ｂ、抵抗４４ｂ，４５ｂ、及びコンデンサ４６ｂをさらに備え、予熱用巻線Ｎ３とフィラメントＦ２ａとの接続点が、抵抗４２ｂ、ダイオード４３ｂ、抵抗４４ｂ，４５ｂを介して回路グラウンドに接続され、抵抗４５ｂと並列にコンデンサ４６ｂが接続され、抵抗４４ｂ，４５ｂの接続点に生じた電圧が誤接続検出信号Ｖk2としてＩＣ回路１０ａへ出力される。また、ＩＣ回路１０ａは、誤接続検出信号Ｖk1及び誤接続検出信号Ｖk2の電圧を比較した結果に基づいて、放電灯Ｌａ１，Ｌａ２，Ｌａ３における接続状態の異常発生の有無を判定する。
【００４８】
その他の構成は図１に示す照明器具と同様であるのでその説明を省略し、以下本実施の形態の特徴的な点について、動作を説明する。まず、図３に示す照明器具の放電灯点灯装置において、放電灯Ｌａ１，Ｌａ２，Ｌａ３が正常に三灯直列に点灯されている場合には、誤接続検出回路８ａにおいて、フィラメントＦ３ａの電圧が、ダイオード４３ａによって整流され、抵抗４４ａ，４５ａによって分圧され、さらにコンデンサ４６ａによって平滑されて、誤接続検出信号Ｖk1としてＩＣ回路１０ａへ出力される一方、フィラメントＦ２ａの電圧が、ダイオード４３ｂよって整流され、抵抗４４ｂ，４５ｂによって分圧され、さらにコンデンサ４６ｂによって平滑されて、誤接続検出信号Ｖk2としてＩＣ回路１０ａへ出力される。
【００４９】
そして、ＩＣ回路１０ａによって、誤接続検出信号Ｖk1の電圧と、誤接続検出信号Ｖk2の電圧とが比較され、例えば、（誤接続検出信号Ｖk1の電圧値）＜（誤接続検出信号Ｖk2の電圧値）であった場合、放電灯Ｌａ１，Ｌａ２，Ｌａ３の接続状態が正常であると判断される。一方、（誤接続検出信号Ｖk1の電圧値）＞（誤接続検出信号Ｖk2の電圧値）であった場合には、ＩＣ回路１０ａによって、放電灯Ｌａ１，Ｌａ２，Ｌａ３の接続状態が、例えば誤配線等によって正常ではないと判断される。
【００５０】
そして、ＩＣ回路１０ａによって、例えばスイッチング素子１６，２１，２２のオン、オフ動作が停止され、放電灯Ｌａ１，Ｌａ２，Ｌａ３への電力供給が停止されたり、スイッチング素子１６，２１，２２のオン、オフ周波数が変化されて放電灯Ｌａ１，Ｌａ２，Ｌａ３への電力供給が減少されたりする。この場合、放電灯Ｌａ１，Ｌａ２，Ｌａ３の接続状態の異常を、誤接続検出信号Ｖk1，Ｖk2の大小関係によって判断することができるので、判断の精度を向上させることができる。
【００５１】
また、ＩＣ回路１０ａは、誤接続検出信号Ｖk1，Ｖk2の検出電位のレベルをそれぞれ判別することにより、負荷として接続されている放電灯の本数を検出し、その検出結果より、インバータ回路３のスイッチング素子２１，２２をオン、オフする駆動周波数を調整し、ランプ定格と本数に従う出力に調整するようにしてもよい。
【００５２】
具体的には、例えば、直列に接続された放電灯Ｌａ１，Ｌａ２，Ｌａ３のうち、中央の放電灯Ｌａ２は、構造上外れないように例えば固定金具等により固定しておく。この場合、負荷として放電灯１本のみ接続された状態では、誤接続検出信号Ｖk1，Ｖk2には電圧がほとんど発生せず、信号レベルはローレベルとなる。また、負荷として放電灯２本のみ接続された状態では、誤接続検出信号Ｖk1，Ｖk2の何れか一方には電圧がほとんど発生せず、誤接続検出信号Ｖk1，Ｖk2の何れか一方がローレベルとなる。さらに、負荷として放電灯が３本とも接続された状態では、誤接続検出信号Ｖk1，Ｖk2の信号レベルは、いずれもハイレベルとなる。
【００５３】
そして、誤接続検出信号Ｖk1，Ｖk2のいずれもがハイレベルであった場合、ＩＣ回路１０ａによって、放電灯が３本とも接続されていると判断される。そして、ＩＣ回路１０ａによって、放電灯３本を点灯させるための電力を電圧変換回路２及びインバータ回路３により放電灯に供給させるべく、スイッチング素子１６，２１，２２のスイッチング周波数等が変化され、放電灯への電力供給量が調整される。
【００５４】
また、誤接続検出信号Ｖk1がハイレベルかつ誤接続検出信号Ｖk2がローレベルであった場合、または、誤接続検出信号Ｖk1がローレベルかつ誤接続検出信号Ｖk2がハイレベルであった場合、ＩＣ回路１０ａによって、接続されている放電灯は２本であると判断される。そして、ＩＣ回路１０ａによって、放電灯２本を点灯させるための電力を電圧変換回路２及びインバータ回路３により放電灯に供給させるべく、スイッチング素子１６，２１，２２のスイッチング周波数等が変化され、放電灯への電力供給量が調整される。
【００５５】
また、誤接続検出信号Ｖk1，Ｖk2のいずれもがハイレベルであった場合、ＩＣ回路１０ａによって、接続されている放電灯は１本であると判断される。そして、ＩＣ回路１０ａによって、放電灯１本を点灯させるための電力を電圧変換回路２及びインバータ回路３により放電灯に供給させるべく、スイッチング素子１６，２１，２２のスイッチング周波数等が変化され、放電灯への電力供給量が調整される。
【００５６】
以上のように、ＩＣ回路１０ａは、誤接続検出信号Ｖk1，Ｖk2の信号レベルに基づいて、二次側回路５に接続されている放電灯の数を判定し、その数に応じて電圧変換回路２及びインバータ回路３の動作を制御することにより、二次側回路５に接続されている放電灯の数に応じた電力を供給させるので、放電灯が外れた場合であっても接続されている放電灯を発光させるのに適した電力を供給することができる。
【００５７】
（第３実施形態）
次に、本発明の第３の実施の形態に係る照明器具について説明する。図４は、本発明の第３の実施の形態による照明器具の構成の一例を示す回路図である。図４に示す照明器具と図３に示す照明器具とでは、下記の点で異なる。すなわち、図４に示す照明器具の放電灯点灯装置においては、予熱用巻線Ｎ４の中間タップが回路グラウンドに接続され、フィラメントＦ３ａと抵抗４２ａとの接続点と、予熱用巻線Ｎ４との間にコンデンサ５２が介設されている。また、予熱用巻線Ｎ４に生じた予熱用巻線電圧を検出し、当該検出した予熱用巻線電圧を表す巻線電圧信号Ｖk3をＩＣ回路１０ｂへ出力する巻線電圧検出部５３をさらに備える。さらに、ＩＣ回路１０ｂは、誤接続検出信号Ｖk1，Ｖk2，Ｖk3の電圧に基づいて、放電灯Ｌａ１，Ｌａ２，Ｌａ３への電力の供給量を調整する。
【００５８】
その他の構成は図１に示す照明器具と同様であるのでその説明を省略し、以下本実施の形態の特徴的な点について、説明する。巻線電圧検出部５３は、予熱用巻線Ｎ４とコンデンサ５２の接続点にアノードが接続されたダイオード５４を備える。ダイオード５４のカソードは、抵抗５５，５７を介して回路グラウンドに接続されている。また、抵抗５７と並列に、コンデンサ５６が接続されている。そして、抵抗５５と抵抗５７との接続点に生じた電圧が、巻線電圧信号Ｖk3としてＩＣ回路１０ｂへ出力される。
【００５９】
次に、図４に示す照明器具における放電灯点灯装置の動作について説明する。まず、インバータ回路３によって、高周波電圧が出力トランス４の一次側巻線Ｎ１に印加されると、二次側巻線Ｎ２と、予熱用巻線Ｎ４とにそれぞれ巻線比に応じた電圧、すなわち互いに相関関係を有する電圧が生じる。そして、予熱用巻線Ｎ４に生じた電圧は、ダイオード５４により整流され、抵抗５５，５７により分圧されて、巻線電圧信号Ｖk3としてＩＣ回路１０ｂへ出力される。従って、巻線電圧信号Ｖk3の電圧もまた、予熱用巻線Ｎ４に生じた電圧との間で相関関係を有している。
【００６０】
次に、ＩＣ回路１０ｂによって、巻線電圧信号Ｖk3の電圧に応じてスイッチング素子１６，２１，２２のスイッチング周波数等が変化され、放電灯への電力供給量が調整される。
【００６１】
例えば、放電灯Ｌａ１，Ｌａ２，Ｌａ３として、例えば、「ＦＬ３６」として知られている放電灯と、放電灯「ＦＬ３６」とランプ電流が略同一であって、ランプ電圧が半分である放電灯「ＦＬ１８」とを使用できる放電灯点灯装置において、放電灯「ＦＬ１８」を用いた場合には、二次側巻線Ｎ２に生じる電圧は略半分となる。そうすると、二次側巻線Ｎ２に生じる電圧と相関関係を有する巻線電圧信号Ｖk3の電圧もまた、略半分となる。
【００６２】
そこで、例えば、ランプ定格判別用の基準電圧Ｖrefを、放電灯「ＦＬ３６」を使用した場合の巻線電圧信号Ｖk3と、放電灯「ＦＬ１８」を使用した場合の巻線電圧信号Ｖk3との間の電圧値として、予めＩＣ回路１０ｂに設定しておき、ＩＣ回路１０ｂによって、巻線電圧信号Ｖk3の電圧と基準電圧Ｖrefとが比較され、巻線電圧信号Ｖk3の電圧が基準電圧Ｖrefを超えていた場合は「ＦＬ３６」が接続されていると判断され、巻線電圧信号Ｖk3の電圧が基準電圧Ｖref以下の場合は「ＦＬ１８」が接続されていると判断されるようにされている。
【００６３】
そして、ＩＣ回路１０ｂによって、放電灯Ｌａ１，Ｌａ２，Ｌａ３として放電灯「ＦＬ３６」が接続されていると判断された場合と、放電灯「ＦＬ１８」が接続されていると判断された場合とに応じて、各放電灯のランプ定格に応じた電力を電圧変換回路２及びインバータ回路３により放電灯に供給させるべく、スイッチング素子１６，２１，２２のスイッチング周波数等が変化され、放電灯への電力供給量が調整される。
【００６４】
以上のように、図４に示す照明器具の放電灯点灯装置は、予熱用巻線Ｎ４に生じた、二次側巻線Ｎ２に生じた電圧と相関する予熱用巻線電圧に応じて巻線電圧検出部５３から出力された巻線電圧信号Ｖk3に基づいて、ＩＣ回路１０ｂにより電圧変換回路２及びインバータ回路３の動作が制御されるので、放電灯Ｌａ１，Ｌａ２，Ｌａ３として接続されている放電灯の定格値に応じて電力の供給量を調整することができる。
【図面の簡単な説明】
【００６５】
【図１】本発明の第１の実施形態に係る照明器具の構成の一例を示す回路図である。
【図２】図１に示す照明器具の変形例を示す回路図である。
【図３】本発明の第２の実施の形態による照明器具の構成の一例を示す回路図である。
【図４】本発明の第３の実施の形態による照明器具の構成の一例を示す回路図である。
【図５】背景技術に係る放電灯点灯装置の構成の一例を示す回路図である。
【図６】図５に示す放電灯点灯装置において、誤配線が生じた例を示す回路図である。
【符号の説明】
【００６６】
１    直流電源回路
２    電圧変換回路
３    インバータ回路（電力供給部）
４    出力トランス
５    二次側回路
６    制御回路
７    放電灯外れ検出回路
８，８ａ  誤接続検出回路（フィラメント電圧検出部）
９    制御用電源回路
１０，１０ａ，１０ｂ  ＩＣ回路（制御部）
１６，２１，２２  スイッチング素子
５３  巻線電圧検出部
Ｆ１ａ，Ｆ１ｂ，Ｆ２ａ，Ｆ２ｂ，Ｆ３ａ，Ｆ３ｂ  フィラメント
Ｌａ１，Ｌａ２，Ｌａ３  放電灯
Ｎ１  一次側巻線
Ｎ２  二次側巻線
Ｎ３，Ｎ４  予熱用巻線（予熱電流回路）
Ｎ５  制御電源用巻線
【図１】
2005183114.tif 000003
【図２】
2005183114.tif 000004
【図３】
2005183114.tif 000005
【図４】
2005183114.tif 000006
【図５】
2005183114.tif 000007
【図６】
2005183114.tif 000008